(57)【要約】【課題】低コスト且つ容易にドレンパイプを既設の排水管に取り付ける方法、その方法に用いる取付具及びその方法に用いる穿設工具を提供する。【解決手段】既設の水洗便器用洗浄ユニット２５に電子制御式の水洗便器用洗浄ユニット４０を取り付ける際に、ドレンパイプ４２を、水洗便器用洗浄ユニット４０と既設の排水管２７との間に取り付ける取付方法であって、ドレンパイプ４２の一端４６を取り付け可能であってドレンパイプと連通する筒状部５２と、既設の排水管２７における所定位置に固定するための固定部５４とを有する取付具５０を用い、取付具５０を排水管２７の所定位置に取り付け、取付具５０の筒状部５２から穿設工具７５を挿入して、排水管２７に穴をあけ、取付具５０から穿設工具７５を取り外し、電子制御式の水洗便器用洗浄ユニット４０にドレンパイプ４２の他端４５を接続し、取付具５０の筒状部５２にドレンパイプ４２を装着する。【選択図】図５
2014185457.tif 000002
【特許請求の範囲】
【請求項１】
既設の手動式の水洗便器用洗浄ユニットに電子制御式の水洗便器用洗浄ユニットを取り付ける際に、電子制御式の水洗便器用洗浄ユニットからのドレンを排水するためのドレンパイプを、電子制御式の水洗便器用洗浄ユニットと既設の排水管との間に取り付ける取付方法であって、
ドレンパイプの一端を装着可能であってドレンパイプと連通する筒状部と、既設の排水管における所定位置に固定するための固定部とを有する取付具を用い、
該取付具を、既設の排水管の所定位置に取り付け、
取り付けた取付具の筒状部から既設の排水管に穴をあける穿設工具を挿入して、既存の排水管に穴をあけ、
前記取付具から穿設工具を取り外し、
電子制御式の水洗便器用洗浄ユニットにドレンパイプの他端を接続し、
前記取付具の筒状部にドレンパイプの一端を装着することによって、電子制御式の水洗便器用洗浄ユニットと既設の排水管との間にドレンパイプを取り付けることを特徴とするドレンパイプの取付方法。
【請求項２】
前記取付具の筒状部の内周壁にはねじ溝が形成され、
前記穿設工具の先端部は尖鋭に形成され、
前記穿設工具の外周壁には、前記筒状部の内周壁のねじ溝に螺合するねじ溝が形成され、
排水管に穴をあける際には、取付具の筒状部内に穿設工具をねじ込んでいくことを特徴とする請求項１記載のドレンパイプの取付方法。
【請求項３】
前記穿設工具の後端は、穿設工具を回動させるための締緩手段を装着できる形状に形成され、
取付具の筒状部内に穿設工具をねじ込む際には、作業者は締緩手段を穿設工具に装着して穿設工具をねじ込むことを特徴とする請求項２記載のドレンパイプの取付方法。
【請求項４】
前記ドレンパイプの一端の先端には、他の部位よりも大径に形成されたツバが形成され、
前記筒状部へのドレンパイプの取り付けの際には、ドレンパイプの前記ツバを前記筒状部の先端に当接させ、
筒状部の外周壁に形成されたねじ溝と螺合可能であって、ドレンパイプを挿入可能な挿入穴を有し、ツバを保持可能な袋ナットによって、ツバを筒状部に装着することを特徴とする請求項１〜請求項３のうちのいずれか１項記載のドレンパイプの取付方法。
【請求項５】
既設の手動式の水洗便器用洗浄ユニットに電子制御式の水洗便器用洗浄ユニットを取り付ける際に、電子制御式の水洗便器用洗浄ユニットからのドレンを排水するためのドレンパイプを、電子制御式の水洗便器用洗浄ユニットと既設の排水管との間に取り付けるために用いられる取付具であって、
ドレンパイプの一端を装着可能であってドレンパイプと連通する筒状部と、既設の排水管における所定位置に固定するための固定部とを有することを特徴とする取付具。
【請求項６】
前記筒状部の内周壁には、ねじ溝が形成されていることを特徴とする請求項５記載の取付具。
【請求項７】
前記筒状部の外周壁には、ねじ溝が形成されていることを特徴とする請求項５または請求項６記載の取付具。
【請求項８】
前記固定部は、排水管の周囲半周を囲むように装着される半割状の第１部材と、第１部材に対して排水管を挟んで対向する位置において排水管の周囲半周を囲むように装着される第２部材とを有していることを特徴とする請求項５〜請求項７のうちのいずれか1項記載の取付具。
【請求項９】
既設の手動式の水洗便器用洗浄ユニットに電子制御式の水洗便器用洗浄ユニットを取り付ける際に、電子制御式の水洗便器用洗浄ユニットからのドレンを排水するためのドレンパイプを、電子制御式の水洗便器用洗浄ユニットと既設の排水管との間に取り付ける際に用いられる穿設工具であって、
ドレンパイプの一端を装着可能であってドレンパイプと連通する筒状部と、既設の排水管における所定位置に固定するための固定部とを有する取付具が前記排水管に取り付けられた後に排水管に穴をあけるべく、前記筒状部内に挿入可能な径を有しており、先端部が尖鋭に形成されていることを特徴とする穿設工具。
【請求項１０】
外周壁にはねじ溝が形成されていることを特徴とする請求項９記載の取付具。
【発明の詳細な説明】
【技術分野】
【０００１】
本発明は、水洗便器用洗浄ユニットのドレンパイプ取付方法、このドレンパイプ取付方法で用いるドレンパイプ取付具、及びこのドレンパイプ取付方法で用いる穿設工具に関する。
【背景技術】
【０００２】
水洗便器に用いられる水洗便器用洗浄ユニット（以下、単に洗浄ユニットと称する場合がある）には、節水などの目的で必要時に水が流せるように手動で操作できる洗浄弁（フラッシュバルブ）装置が取り付けられたものがある。
この洗浄弁装置は一定量の水を流した後、自動的に閉止するように形成されているもので、たとえばプッシュボタン式、ハンドル式などがある。
【０００３】
ところで、既設の手動で動作する洗浄ユニットに、人体を感知した場合に自動的に動作する電子制御式の洗浄ユニットを取り付けることが行われている。
既設の洗浄ユニットに取り付けるタイプの電子制御式の洗浄ユニットは、センサによって便器の使用を感知し、所定時間水を流すように動作する。
このような、既設の洗浄ユニットに取り付ける電子制御式の洗浄ユニットは、特許文献１や特許文献２に開示されている。
【０００４】
以下、従来から知られている洗浄ユニットの取り付けについて、図１０に基づいて説明する。なお、図１０では電子制御式の洗浄ユニットについては、内部構成のみ示しており、実際にはこれら内部構成を覆うカバーが取り付けられる。
電子制御式の洗浄ユニットは、既設の洗浄ユニットの上部に装着するものであり、人体を検知するセンサ（図示せず）と、センサの反応によって動作するソレノイド１１を有している。
既設の洗浄ユニットには、水道管からの水を流入する給水管１５が接続された筐体部１２が設けられている。筐体部１２の下方には、便器へ水を流出する排水管１３が接続されている。
【０００５】
既設の洗浄ユニットの筐体部１２に、電子制御式の洗浄ユニットで用いるピストン部１４が装着される。ピストン部１４は排水管１３方向に延びるピン１６を有している。ピストン部１４内は、上空間と下空間とが形成されており、ピン１６の上端部がピストン部１４内の上空間と下空間の連通部分を閉止している。既設の筐体部１２には、押しボタン１７も設けられており、押しボタン１７を押圧することでピン１６を傾けさせて水を流すことも可能である。
【０００６】
また、電子制御式の洗浄ユニットと既設の排水管１３との間はドレンパイプ４２が取り付けられている。ドレンパイプ４２の上端部はピストン部１４の上空間と連通しており、ソレノイド１１によって開閉可能な電磁弁により開閉可能となっている。
【０００７】
洗浄動作は、センサが人を検知してソレノイド１１を動作させることによって行われる。
ソレノイド１１がドレンパイプ４２の電磁弁を開放して上空間内の水をドレンパイプ４２を経由させて排水管１３へ流出させると、上空間内の圧力が下空間内の圧力よりも低圧となる。すると、ピストン部１４全体が低圧側の上空間方向に上昇して、ピストン部１４の下面で閉塞していた給水管１５と排水管１３とが連通する。このようにして給水管１５からの水が排水管１３に流れる。
【先行技術文献】
【特許文献】
【０００８】
【特許文献１】特開平８−３２６１１７号公報
【特許文献２】特開平１０−５４０６４号公報
【発明の概要】
【発明が解決しようとする課題】
【０００９】
既設の手動で動作する洗浄ユニットを、電子制御式の洗浄ユニットに取り付ける際には、既存の洗浄ユニットの上部を取り外し、内部にプランジャ等が配置された電子制御式の洗浄ユニットを取り付ける。このとき、ドレンパイプも既存の排水管に取り付ける必要がある。
しかし、既設の排水管にドレンパイプを取り付けるためには、既設の排水管をドレンパイプが装着できるような継ぎ手が作りこまれた構造の排水管に取り換えるか、またはドレンパイプが水漏れなく確実に装着できるようにねじ溝を切った取付穴を穿設するなどの工事が必要である。
【００１０】
既設の排水管を取り換える場合には、ドレンパイプが装着できる排水管を予め製造しておく必要があるので高コストとなっていまい、また交換にも手間がかかってしまうという課題がある。
水漏れが無いような取付穴を穿設する場合であっても、専用の工具等が必要であるなど作業に手間がかかるという課題がある。
そして特に、交換対象となっている既設の洗浄ユニットがトイレの壁面に近い場所に設置されている場合には、交換作業も困難であるし、水漏れが無いような取付穴の穿設工事を行うことも困難である。
【００１１】
そこで本発明は上記課題を解決すべくなされ、その目的とするところは、低コスト且つ容易にドレンパイプを既設の排水管に取り付ける方法、その方法に用いる取付具及びその方法に用いる穿設工具を提供することにある。
【課題を解決するための手段】
【００１２】
本発明にかかるドレンパイプの取付方法によれば、既設の手動式の水洗便器用洗浄ユニットに電子制御式の水洗便器用洗浄ユニットを取り付ける際に、電子制御式の水洗便器用洗浄ユニットからのドレンを排水するためのドレンパイプを、電子制御式の水洗便器用洗浄ユニットと既設の排水管との間に取り付ける取付方法であって、ドレンパイプの一端を取り付け可能であってドレンパイプと連通する筒状部と、既設の排水管における所定位置に固定するための固定部とを有する取付具を用い、該取付具を、既設の排水管の所定位置に取り付け、取り付けた取付具の筒状部から既設の排水管に穴をあける穿設工具を挿入して、既存の排水管に穴をあけ、前記取付具から穿設工具を取り外し、電子制御式の水洗便器用洗浄ユニットにドレンパイプの他端を接続し、前記取付具の筒状部にドレンパイプを装着することによって、電子制御式の水洗便器用洗浄ユニットと既設の排水管との間にドレンパイプを取り付けることを特徴としている。
この方法を採用することによって、排水管自体を交換することがなくドレンパイプを容易に取り付けることができる。また、排水管に穴をあけるのを穿設工具を挿入するだけで行えるので、特別な工事が必要にならず、また排水管に対してどのような向きであっても穴をあけることが容易に行えるので、既設の洗浄ユニットがトイレの壁面に近い場所であってもドレンパイプの取付が容易に行える。
【００１３】
また、前記取付具の筒状部の内周壁にはねじ溝が形成され、前記穿設工具の先端部は尖鋭に形成され、前記穿設工具の外周壁には、前記筒状部の内周壁のねじ溝に螺合するねじ溝が形成され、排水管に穴をあける際には、取付具の筒状部内に穿設工具をねじ込んでいくことを特徴としてもよい。
この方法によれば、穿設工具をねじ溝によって回動させて排水管に穴を穿設することができるので、排水管が壁面に近い場所であっても容易に穴をあけることができる。また、電気を用いなくても穴をあけることができるので、近くにコンセントが無いような場所であっても容易に工事ができる。
【００１４】
また、前記穿設工具の後端は、穿設工具を回動させるための締緩手段を装着できる形状に形成され、取付具の筒状部内に穿設工具をねじ込む際には、作業者は締緩手段を穿設工具に装着して穿設工具をねじ込むことを特徴としてもよい。
この方法によれば、穿設工具を直接手で回すよりも少ない力で容易に穴をあけることができる。
【００１５】
また、前記ドレンパイプの一端の先端には、他の部位よりも大径に形成されたツバが形成され、前記筒状部へのドレンパイプの取り付けの際には、ドレンパイプの前記ツバを前記筒状部の先端に当接させ、筒状部の外周壁に形成されたねじ溝と螺合可能であって、ドレンパイプを挿入可能な挿入穴を有し、ツバを保持可能な袋ナットによって、ツバを筒状部に装着することを特徴としてもよい。
この方法によれば、ドレンパイプの一端を筒状部に挿入しなくてもドレンパイプを取付具に装着させることができる。
【００１６】
本発明にかかるドレンパイプの取付具によれば、既設の手動式の水洗便器用洗浄ユニットに電子制御式の水洗便器用洗浄ユニットを取り付ける際に、電子制御式の水洗便器用洗浄ユニットからのドレンを排水するためのドレンパイプを、電子制御式の水洗便器用洗浄ユニットと既設の排水管との間に取り付けるために用いられる取付具であって、ドレンパイプの一端を装着可能であってドレンパイプと連通する筒状部と、既設の排水管における所定位置に固定するための固定部とを有することを特徴としている。
この構成を採用することによって、ドレンパイプを排水管へ容易に取り付けることができる。すなわち、既設の排水管には、形状はどうでもよい単なる穴を穿設するだけでよいので、ドレンパイプを排水管に容易に取り付けることができる。
【００１７】
また、前記筒状部の内周壁には、ねじ溝が形成されていることを特徴としてもよい。
この構成によれば、外周壁に筒状部の内周壁のねじ溝に螺合するねじ溝が形成された穿設工具を用い、取付具の筒状部内に穿設工具をねじ込んでいくことで排水管に穴をあけることができる。
【００１８】
また、前記筒状部の外周壁には、ねじ溝が形成されていることを特徴としてもよい。
この構成によれば、ドレンパイプの一端を筒状部に装着する際に、外周壁に螺合するナット等を用いてドレンパイプを装着することができる。
【００１９】
さらに、前記固定部は、排水管の周囲半周を囲むように装着される半割状の第１部材と、第１部材に対して排水管を挟んで対向する位置において排水管の周囲半周を囲むように装着される第２部材とを有していることを特徴としてもよい。
これによれば、第１部材と第２部材とを固定することによって、ドレンパイプの取付が容易に行われる。
【００２０】
本発明にかかる穿設工具によれば、既設の手動式の水洗便器用洗浄ユニットに電子制御式の水洗便器用洗浄ユニットを取り付ける際に、電子制御式の水洗便器用洗浄ユニットからのドレンを排水するためのドレンパイプを、電子制御式の水洗便器用洗浄ユニットと既設の排水管との間に取り付ける際に用いられる穿設工具であって、ドレンパイプの一端を装着可能であってドレンパイプと連通する筒状部と、既設の排水管における所定位置に固定するための固定部とを有する取付具が前記排水管に取り付けられた後に排水管に穴をあけるべく、前記筒状部内に挿入可能な径を有しており、先端部が尖鋭に形成されていることを特徴としている。
この構成によれば、排水管に対して取付具の挿入孔から挿入するだけで、排水管の所定位置に穴を穿設することができる。
【００２１】
また、外周壁にはねじ溝が形成されていることを特徴としてもよい。
この構成によれば、筒状部の内周壁にねじ溝が形成された取付具を用い、取付具の筒状部内に穿設工具をねじ込んでいくことで排水管に穴をあけることができる。
【発明の効果】
【００２２】
本発明によれば、低コスト且つ容易にドレンパイプを既設の排水管に取り付けることができる。
【図面の簡単な説明】
【００２３】
【図１】既設の水洗便器用洗浄ユニットの正面図である。
【図２】電子制御式の水洗便器用洗浄ユニットを取り付けたところを示す側面図である。
【図３】ドレンパイプの側面図である。
【図４】ドレンパイプの正面図である。
【図５】取付具の断面及び穿設工具の説明図である。
【図６】穿設工具を取付具の筒状部内に挿入したところを示す説明図である。
【図７】ドレンパイプの固定手段を示す説明図である。
【図８】ドレンパイプを取付具に装着したところを示す説明図である。
【図９】電子制御式の水洗便器用洗浄ユニットを取り付けた他の実施形態を示す側面図である。
【図１０】電子制御式の水洗便器用洗浄ユニットの組み立て分解図である。
【発明を実施するための形態】
【００２４】
図１に、電子制御式の水洗便器用洗浄ユニット(以下、単に洗浄ユニットと称する場合がある)を取り付ける前の大便器の正面図を、図２に電子制御式の洗浄ユニットを取り付けた場合の大便器の側面図を示す。
ここでは、和式の大便器２０に電子制御式の洗浄ユニット４０を取り付けたところを示しているが、本発明としては大便器用に限定するものではない。電子制御式の洗浄ユニット４０を男性用小便器（図示せず）に取り付ける場合であってもよい。さらに、病院等に設けられている汚物洗浄器（図示せず）に取り付ける場合であってもよい。
したがって、水洗便器用洗浄ユニットとしては、便器に限定されるものではない。
【００２５】
図１に示すように、既設の給水管２２は、大便器２０の前方側の側方において上下方向に延びている。給水管２２は、上端部において横方向に延びる給水管２４に接続される。横方向に延びる給水管２４は、既設の手動の洗浄ユニット２５の側面に接続される。
既設の手動の洗浄ユニット２５は、大便器２０に接続された排水管２７の上部に配置されており、横方向に延びる手動レバー２６を有している。なお、ここでいう排水管２７とは、洗浄ユニット２５から大便器２０へ放流される水（水道から供給されたきれいな洗浄水）が流れる管のことであり、大便器２０から流れ出る汚水が流通する管とは異なるものである。
排水管２７は、給水管とは違って水圧がかからないから薄肉のパイプ（厚さは例えば０．５ｍｍ前後）を用いることができる。排水管２７の材質としては真鍮又は銅などを採用することができる。このように、排水管２７として薄肉のものを用い、材質として真鍮又は銅などの加工性のよいものを採用することにより、本願発明のような穿設工具７５（後述する）を用いて容易に穴をあけることができる。
【００２６】
図２に示すように、既設の洗浄ユニット２５の上部に電子制御式の洗浄ユニット４０を取りつけた場合、ドレンパイプ４２を電子制御式の洗浄ユニット４０と既設の排水管２７との間に取り付ける必要がある。
【００２７】
図３及び図４に、取り付け対象となるドレンパイプ４２を示す。本実施形態のドレンパイプ４２は、上下方向に延びる本体部４３と、本体部の両端部から直交する方向に延びる取付部４５，４６とが一体となって形成されている。すなわち、ドレンパイプ４２は、本体部４３の長さが取付部４５，４６よりも長尺に形成されたコの字状となっている。
【００２８】
本実施形態のドレンパイプ４２の取付部のうち、一方はツバ４７が形成されており、他方はツバが形成されておらずストレート形状となっている。
本実施形態では、既設の排水管２７側に取り付ける側にツバ４７が形成されているが、洗浄ユニット４０側にツバが形成されていてもよく、またどちらにもツバが形成されていなくてもよい。
【００２９】
ドレンパイプ４２の一方側の取付部４６を、既設の排水管２７へ取り付ける際には、まずドレンパイプ４２が障害物に当接しないような取付位置を検討する。ここでいう障害物とは、例えば壁や便器の手動レバーなど他の場所に移動することができないものを指す。
取付位置の検討が完了し、取付位置が決定されると、ドレンパイプ４２の一方側の取付部４６が取り付けられる位置の排水管２７に、取付具５０を装着する。
【００３０】
図５に取付具及び穿設工具を示す。
取付具５０は、取付対象のドレンパイプ４２の取付部４６が装着される筒状部５２と、排水管２７の所定位置に固定するための固定部５４とを有している。固定部５４は、それぞれが半円の円弧状となっている第１部材５５ａと、第２部材５５ｂとに分離する。
【００３１】
第１部材５５ａ及び第２部材５５ｂのそれぞれの端部は、互いに接続するための接続部５６として円弧の外方に突出するように形成されている。各接続部５６には、ねじを螺合可能なねじ穴５７が形成されており、ねじ５８によって第１部材５５ａと第２部材５５ｂとが固定される。ただし、第１部材５５ａと第２部材５５ｂとの固定はねじ５８で固定することに限定するものではなく、ボルト・ナットを使用してもよいし、他の方法であってもよい。
【００３２】
筒状部５２は、第１部材５５ａ又は第２部材５５ｂのいずれかにおいて、幅方向のほぼ中央から外方に向けて突出するように形成されている。
そして、本実施形態における筒状部５２は、内壁面にねじ溝６７が形成されており、且つ外壁面にもねじ溝６２が形成されており、内部はドレンパイプ４２と排水管２７の穴７８（後述する）とを連通する連通孔６１が形成されている。
本実施形態では、筒状部５２内にはドレンパイプ４２の取付部４６を挿入しないので、連通孔６１の径はどのような径であってもよいが、穿設工具７５の挿入が可能な径であって、且つドレンの流通がスムーズに行える程度の径である。
また、筒状部５２の連通孔６１の立ちあがり部分の内側（排水管２７の外壁面に当接する箇所）には、パッキン６８が設けられている。このパッキン６８は、取付具５０を排水管２７に取り付けると、排水管２７に穿設される穴７８の周囲に配置される。これにより排水管２７に穿設される穴７８からの水漏れを防止できる。
【００３３】
筒状部５２は、排水管２７寄りに内壁面のねじ溝６７が形成され、ドレンパイプ４２寄りに外壁面のねじ溝６２が形成される。
すなわち、筒状部５２の内壁面のねじ溝６７は、穿設工具７５の外壁面に形成されたねじ溝７７と螺合可能なねじ溝であり、穿設工具７５を回転させながら進入させるようにしている。
【００３４】
筒状部５２の外壁面のねじ溝６２は、固定手段７２が螺合可能なねじ溝である。固定手段７２としては、ナットなどを採用することができる。
具体的な固定手段については後述する。
【００３５】
穿設工具７５は、取付具５０の連通孔６１内に挿入可能な径を有する棒状の部材である。穿設工具７５の先端部７５ａは尖鋭となるように形成されている。また、穿設工具７５の後端部７５ｂには、六角レンチ７６（特許請求の範囲でいう締緩手段）をはめ込むことができる六角径状の穴が形成されており、六角レンチ７６によって穿設工具７５を回しこんで連通孔６１内に進入させることができる。
なお、締緩手段としては六角レンチ７６に限定するものではなく、メガネレンチ等であってもよい。
また、締緩手段が用いられない形状であってもよく、ハンマー等の工具で打つことができるように、単に大径に形成されているだけであってもよい。
【００３６】
図６〜図８に取り付け工程を示す。
作業者は、既設の排水管２７に装着された取付具５０の連通孔６１から穿設工具７５を挿入し、穿設工具７５を六角レンチ７６で回しこむ。これにより、排水管２７に穿設工具７５の先端部７５ａが突き刺さって穴７８が穿設される。
排水管２７に穿設されたドレン用の穴７８は、取付具５０によって隠ぺいされているし、また穿設された穴は単にドレンを流すだけであるので、特に穴の周縁を加工する必要もなく穿設したままの状態で十分である。
【００３７】
このように、排水管２７に穴をあけた後、筒状部５２にドレンパイプ４２のツバ４７を当接させ、固定手段の一例である袋ナット７２で固定する。袋ナット７２は、筒状部５２の外壁面のねじ溝６２に螺合するように内側にねじ溝が形成されている。また、ここで用いられる袋ナット７２は、中央にドレンパイプ４２を貫通する貫通穴８０が形成され、ツバ４７を押さえることができる押さえ部８２が形成されている。
本実施形態のドレンパイプ４２は、他端側にツバが形成されていないので、袋ナット７２を他端側から挿入する。
【００３８】
なお、筒状部５２の先端部にはリング状のパッキン８４を設けるとよい。すると、ドレンパイプ４２のツバ４７はパッキン８４に当接し、袋ナット７２の押さえ部８２によってツバ４７とパッキン８４とが締め付けられる。このため、ドレンパイプ４２を取付具５０に対して水漏れがないように装着させることができる。
【００３９】
上述したように、ドレンパイプ４２の取付部４６にツバ４７を設け取付具５０の筒状部５２に対して挿入するのではなく、筒状部５２の先端部に当接させるようにしたので、ドレンパイプ４２の筒状部５２への装着がスムーズになる。詳しく説明すると、例えば、ドレンパイプ４２の一端側の取付部４６を筒状部５２内に挿入させて装着する場合、最初にドレンパイプ４２の他端側の取付部４５を洗浄ユニット４０に装着していると、ドレンパイプ４２を取付部４５の軸線方向の角度を動かして、ドレンパイプ４２の取付部４６を筒状部５２に挿入しなくてはならない（図８の矢印Ｘ方向）。しかしながら、上述したようにドレンパイプ４２の取付部４６を筒状部５２の先端部に当接させて筒状部５２に装着することで、ドレンパイプ４２を取付部４５の軸線方向の角度を動かさなくても、先に装着してあるドレンパイプ４２を取付部４５の軸線を中心に回動させるだけで位置決めができる。このため、ドレンパイプ４２を容易に装着可能となる。
【００４０】
なお、穿設工具７５は、回しこんで挿入することに限定するものでなく、穿設工具７５の後端部７５ｂをハンマー等の工具で打って穴７８を穿設してもよい。
【００４１】
上述してきた実施形態では、洗浄ユニットの下方に便器が配置されている場合についての例を説明した。
しかし、図９に示すように、排水管が壁面内に進入しているような場合でも、本発明の取付方法、取付具、穿設工具を採用することができる。図９のような場合では、排水管と壁面との間の隙間が狭い状態となるので、従来のように排水管自体の交換や穿設工事は困難であるが、本発明によれば狭い場所であっても、ドレンパイプを容易に取り付けることができる。
【符号の説明】
【００４２】
２０   大便器
２２   給水管
２４   給水管
２５   既設の水洗便器用洗浄ユニット
２６   手動レバー
２７   排水管
４０   電子制御式の水洗便器用洗浄ユニット
４２   ドレンパイプ
４３   本体部
４５，４６    取付部
４７   ツバ
５０   取付具
５２   筒状部
５４   固定部
５５ａ 第１部材
５５ｂ 第２部材
５６   接続部
５７   ねじ穴
６１   連通孔
６２   ねじ溝
６７   ねじ溝
６８   パッキン
７２   固定手段（袋ナット）
７５   穿設工具
７５ａ 先端部
７５ｂ 後端部
７６   締緩手段（六角レンチ）
７７   ねじ溝
７８   穴
８０   貫通穴
８２   押さえ部
８４   パッキン
【図１】
2014185457.tif 000003
【図２】
2014185457.tif 000004
【図３】
2014185457.tif 000005
【図４】
2014185457.tif 000006
【図５】
2014185457.tif 000007
【図６】
2014185457.tif 000008
【図７】
2014185457.tif 000009
【図８】
2014185457.tif 000010
【図９】
2014185457.tif 000011
【図１０】
2014185457.tif 000012